(57)【特許請求の範囲】
【請求項１】
エアーを生成するエアー生成手段とこのエアー生成手段で生成されたエアーを分配する分配手段とからなるエアー供給装置と、このエアー供給装置からのエアーの給排気によって膨縮する複数の袋体が配設されたマット部と、前記各袋体に所定の順序にしたがってエアーの給排気をするよう前記エアー供給装置を制御する制御手段と、この制御手段の制御によって前記複数の袋体のうちつぎにエアーが供給される袋体が身体のいずれの部位に対応するかを報知する報知手段と、報知された袋体へのエアーの供給を取り消す取消信号を入力する入力手段とを備え、前記入力手段から取消信号が入力されたとき、前記制御手段によって前記報知された袋体へのエアーの供給を停止するようにエアー供給手段を制御することを特徴とするマット式エアーマッサージ機。
【請求項２】
エアーを生成するエアー生成手段とこのエアー生成手段で生成されたエアーを分配する分配手段とからなるエアー供給装置と、このエアー供給装置からのエアーの給排気によって膨縮する複数の袋体が配設されたマット部と、前記複数の袋体のうち所望の袋体を指定してエアーの供給を取り消す取消信号を入力する入力手段と、前記各袋体に所定の順序にしたがってエアーの給排気をするとともに前記入力手段からの取消信号に基づいて前記指定された袋体へのエアーの供給を停止するよう前記エアー供給装置を制御する制御手段とを備えたことを特徴とするマット式エアーマッサージ機。
【発明の詳細な説明】
【０００１】
【発明の属する技術分野】
この発明は、マット部に配設されエアーの給排気によって膨縮する袋体によって被施療部のマッサージを行うマット式エアーマッサージ機に関する。
【０００２】
【従来の技術】
マット部に身体の各部位例えば脚のふくらはぎ部、太腿部、尻部、腰部、背中部、肩部および首部等に対応させて、エアーの給排気により膨縮する袋体を配設し、これら袋体にエアー供給装置からエアーを給排気してマッサージをするマット式エアーマッサージ機は従来から知られている。しかし、従来のマット式エアーマッサージ機は、前記マット部に配設された袋体が各種マッサージモードによって定められた所定の順序と時間にしたがって膨縮されるように構成されている。そして、前記各種マッサージモードの中には、エアーが給排気される順序は一つのサイクル周期では規則的であっても、この一つのサイクル周期の内の短い期間についてみると、例えば太腿部に対応する袋体を膨脹させ、つぎに尻部に対応する袋体を膨脹させ、つぎに腰部に対応する袋体ではなく首部に対応する袋体を膨脹させるというように不規則的である場合がある。一方マッサージをしようとする使用者の中には、身体の被施療部の一部例えば腰痛などのように腰部に疾患を有している場合もある。このような場合にあって使用者は、とくに上記不規則的な場合において、つぎに膨脹する袋体が疾患を有する部位に対応する袋体であることを予め知ることがマッサージ効果の面からも望ましいものである。何故ならば疾患を有する患部に対応する袋体がつぎに膨脹することを知ることは、この患部が押圧されることを予知し、心身ともにその膨脹に対応する準備ができるからである。
【０００３】
【発明が解決しようとする課題】
上述のように従来のマット式エアーマッサージ機は、被施療部の一部に疾患を有する場合等において、この疾患を有する被施療部に対応する袋体がつぎに膨脹することを予知できないものであり、マッサージ効果を上げる上では満足できるものではなかった。
【０００４】
【課題を解決するための手段】
この発明は上記事情に鑑みなされたものであり、請求項１記載の発明は、エアーを生成するエアー生成手段とこのエアー生成手段で生成されたエアーを分配する分配手段とからなるエアー供給装置と、このエアー供給装置からのエアーの給排気によって膨縮する複数の袋体が配設されたマット部と、前記各袋体に所定の順序にしたがってエアーの給排気をするよう前記エアー供給装置を制御する制御手段と、この制御手段の制御によって前記複数の袋体のうちつぎにエアーが供給される袋体が身体のいずれの部位に対応するかを報知する報知手段と、報知された袋体へのエアーの供給を取り消す取消信号を入力する入力手段とを備え、前記入力手段から取消信号が入力されたとき、前記制御手段によって前記報知された袋体へのエアーの供給を停止するようにエアー供給手段を制御するマット式エアーマッサージ機としたものである。
【０００５】
この請求項１記載の発明は、制御手段によりマット部に配設された複数の袋体に所定の順序でエアーを給排気して膨縮させるとともに、つぎにエアーが供給される袋体を報知手段によって報知するようにしたことから、使用者につぎに膨脹する袋体が身体のどの部位に対応するかを予知させるという作用を有するものである。したがって、つぎに膨脹する袋体が疾患を有する被施療部に対応する場合においても心身の準備ができるため、効果的なマッサージができるものである。
【０００６】
更に、請求項１記載の発明は、報知された袋体へのエアーの供給を取り消す取消信号を入力する入力手段を備え、この入力手段から取消信号が入力されたとき、前記制御手段によって前記報知された袋体へのエアーの供給を停止するようにエアー供給手段を制御することを特徴としたものである。
【０００７】
したがって、請求項１記載の発明は、疾患を有する被施療部に対応する袋体等所望しない袋体へのエアーの給気を停止させることができるという作用を有することから、疾患を有する被施療部を除いて他の被施療部をマッサージできるため効果的なマッサージができるものである。
【０００８】
また、請求項２記載の発明は、エアーを生成するエアー生成手段とこのエアー生成手段で生成されたエアーを分配する分配手段とからなるエアー供給装置と、このエアー供給装置からのエアーの給排気によって膨縮する複数の袋体が配設されたマット部と、前記複数の袋体のうち所望の袋体を指定してエアーの供給を取り消す取消信号を入力する入力手段と、前記各袋体に所定の順序にしたがってエアーの給排気をするとともに前記入力手段からの取り消し信号に基づいて前記指定された袋体へのエアーの供給を停止するよう前記エアー供給装置を制御する制御手段とを備えたマット式エアーマッサージ機としたものである。
【０００９】
この請求項２記載の発明は、複数の袋体のうち所望の袋体を指定してエアーの供給を取り消す取消信号を入力する入力手段を設けるとともに、この取消信号に基づいて、制御手段によって前記指定された袋体へのエアーの供給を停止するよう前記エアー供給装置を制御するようにしたことから、使用者は疾患を有する被施療部に対応する袋体等所望しない袋体へのエアーの給気を使用に先立って予め停止させることができる。したがって、疾患を有する被施療部を除いて他の被施療部をマッサージできることから、効果的なマッサージができるものである。
【００１０】
【発明の実施の形態】
つぎに、この発明の第一の実施の形態を図１ないし図６に基づいて説明する。図１に示すように、マット式エアーマッサージ機は、マット部１とエアー給排気装置４０（図１では不図示）等を収納する機器本体２から構成され、このマット部１と機器本体２とは複数の接続ホース（図では８本）からなる接続ホース群３等で接続されるようになっている。
【００１１】
そして、前記マット部１には図２に示すように下面側に硬質の発泡ウレタンフォーム等からなる方形な板状の台部材１０が設けられ、この台部材１０の上面部には袋体１１ａないし１１ｈ（図２では１１ｇ、１１ｈのみ図示）が図示しない適宜の位置決め手段で位置決めされ配設されている。また、この袋体１１ａないし１１ｈにはそれぞれエアーホース１２ａないし１２ｈの一端が接続され、これらエアーホース１２ａないし１２ｈの他端はマット部１の縁部に設けた接続部１４に接続されている。そして、袋体１１ａないし１１ｈおよびエアーホース１２ａないし１２ｈは布等からなる包布１３によって覆われている。また、前記袋体１１ａないし１１ｈは前記エアーホース１２ａないし１２ｈを介して後に詳述する前記エアー供給装置４０からのエアーの給排気によって膨縮するようになっており、この袋体１１ａないし１１ｈの膨縮によって被施療部を押圧弛緩してマッサージをなすものである。
【００１２】
なお、袋体１１ａは首部に、袋体１１ｂおよび１１ｃは背中部に、袋体１１ｄおよび１１ｅは腰部に、袋体１１ｆは尻部に、袋体１１ｇは太腿部に、そして袋体１１ｈは脚部（ふくらはぎ部）に対応して配設されそれぞれの部位をマッサージするものである。
【００１３】
また、マット部１の脚部が位置する領域には電床帯１７が設けられており、この電床帯１７には所定の電位が与えられ、この電位によって脚部の血行を促進させる等してマッサージ効果を向上させるものである。この電床帯１７にはリード線１７ａの一端が接続され、また、リード線１７ａの他端はコネクター１７ｂに接続されている。
【００１４】
つぎに、前記機器本体２は、図１、図３に示すように筐体２０とこの筐体２０内に設けられたエアーコンプレッサーからなるエアー生成装置４１（図１、図３では不図示）、このエアー生成装置４１にエアーホース４１ａを介して接続されエアー生成装置４１からのエアーを前記袋体１１ａないし１１ｈに所定の順序で分配して供給する分配手段としてのロータリー弁等からなる分配器４２（図１では不図示）とからなるエアー給排気装置４０、前記分配器４２および前記エアー生成装置４１等を制御するマイクロコンピューター等からなる制御手段４３（図１では不図示）等によって構成されている。
【００１５】
また、前記筐体２０の前面には操作パネル２１、表示パネル２２、電源スイッチＳ等が設けられている。そして、前記操作パネル２１には各種マッサージモードを設定する複数の設定釦つまり図３に示すようにポイントモードを設定するポイント釦２３ａ、ローリングモードを設定するローリング釦２３ｂ、コースモードを設定するコース釦２３ｃ、前記ポイント釦２３ａ、ローリング釦２３ｂおよびコース釦２３ｃを設定した後マッサージ動作を始動させるマッサージ釦２３ｄ、各袋体１１ａないし１１ｈの膨縮サイクル時間つまりマッサージの速さを設定する速さ釦２３ｅ、マッサージをする時間を設定するタイマー釦２３ｆ、身体の各部位に対応している前記袋体１１ａないし１１ｈの内所望の袋体へのエアーの供給を取り消す取消釦２３ｇ、電床帯１７に通電させるための電位釦２３ｈおよび設定された条件をリセットして初期状態に復帰させるリセット釦２３ｉが設けられている。
【００１６】
なお、前記取消釦２３ｇはマッサージ中に後述する報知ランプＬａないしＬｈのうち点滅中つまりつぎにエアーが供給される袋体へのエアーの供給を停止させるつまり取り消すための取消信号を入力する入力手段を構成しているものである。
【００１７】
また、前記操作パネル２１が設けられている部分は、図１に示すように凹部２１ｂとなっており、この凹部２１ｂにはリモートコントロール装置２４が着脱可能に収納されるようになっており、このリモートコントロール装置２４には前記操作パネル２１に設けられている各設定釦２３ａないし２３ｉに対応した位置関係としてポイント釦２４ａ、ローリング釦２４ｂ、コース釦２４ｃ、マッサージ釦２４ｄ、速さ釦２４ｅ、タイマー釦２４ｆ、取消釦２４ｇ（取消信号を入力する入力手段）、電位釦２４ｈおよびリセット釦２４ｉが設けられている。つまり、前記各種マッサージモード等の設定あるいは取消信号等の入力は前記操作パネル２１の各設定釦２３ａないし２３ｉによっても、また、リモートコントロール装置２４の各設定釦２４ａないし２４ｉによっても設定できるようになっている。また、前記リモートコントロール装置２４は前記凹部２１ｂに収納した状態でも使用つまり各種マッサージモード等を設定できるようになっている。
【００１８】
なお、前記ポイントモードとは首部、背中部、腰部、尻部、太腿部および脚部の各部に対応する前記各袋体を膨縮させて個別にマッサージするマッサージモードであり、また、ローリングモードとは例えば図５に示すように脚部に対応する袋体１１ｈから順に首部に対応する袋体１１ａを膨縮（図５においてプロットした点は膨縮を示す）させ、首部に対応する袋体１１ａの膨縮が終了した後再び上記順序て脚各袋体１１ｈないし１１ａを膨縮させるように動作させるようにしたモードである。なお、このローリングモードは前記脚部に対応する袋体１１ｈから順に首部に対応する袋体１１ａを膨縮させ、首部に対応する袋体１１ａの膨縮が終了した後再び上記順序で各袋体を膨縮させる全身ローリングと、図示しないが袋体１１ｆ−袋体１１ｅ−袋体１１ｄ−袋体１１ｄ−袋体１１ｅ−袋体１１ｆの順で膨縮させる腰部ローリングモードおよび袋体１１ｃ−袋体１１ｂ−袋体１１ａ−袋体１１ｂ−袋体１１ｃの順で膨縮させる背中部ローリングモード等が設けられている。
【００１９】
また、コースモードとは１コースサイクル周期内では定められた順序で各袋体は膨縮するものの、この１コースサイクル周期内のある期間では不規則に設定された順で膨縮させてマッサージをするものである。そして、この実施の形態ではコースＡとコースＢの二つのコースモードが設けられており、この内コースＡは、例えば図６に示すように、１コースサイクル周期を約１５分とし、この１コースサイクル周期の中での各袋体の膨縮の順序は同図に示すように、袋体１１ｈ−袋体１１ｇ−袋体１１ｆ−袋体１１ｅ−袋体１１ｄ−袋体１１ｃ−袋体１１ｂ−袋体１１ａ−袋体１１ｈ−袋体１１ｈ−袋体１１ｈ−袋体１１ｇ−袋体１１ｆ−袋体１１ｅ−袋体１１ｄ−袋体１１ｅ−袋体１１ｆ−袋体１１ｇ・・・・袋体１１ａ−袋体１１ａ−袋体１１ａ−袋体１１ｂ−袋体１１ｃ−袋体１１ｄ−袋体１１ｅ−袋体１１ｆ−袋体１１ｇ−袋体１１ｈの順に膨縮させるように設定されている。そして、図６から判るようにこのコースモードＡは１コースサイクル周期でみるとこの各袋体１１ａないし１１ｈは決められた順序で膨縮するが、この１コースサイクル周期の中におけるある期間、例えば図６にＴ１で示す期間では同一の袋体１１ｈの膨縮が３回繰り返され、また、Ｔ２の期間においては、袋体１１ｈから順に袋体１１ｄまで順序よく膨縮するが袋体１１ｄのつぎは袋体１１ｃではなく逆に袋体１１ｅ−袋体１１ｆ−袋体１１ｇの順に膨縮するとともに袋体１１ｇのつぎは袋体１１ｈではなく逆に袋体１１ｆから順に袋体１１ａを膨縮させるようになっており、このある期間内では不規則な順で膨縮するように設定されている。
【００２０】
なお、もう一つのコースＢは上記コースＡとは別の順序で各袋体１１ａないし１１ｈを膨縮させるように膨縮順序が設定されているものである。また、前記各マッサージモードは後述するマッサージモード記憶手段４４に記憶されているものである。
【００２１】
また、前記表示パネル２２には、その上部には仰向けに横たわった状態の身体の図形が示され、この身体の下方には前記マット部１に使用者が仰向けに横たわった際に、身体の各部位に位置する各袋体１１ａないし１１ｈと対応させて配置した報知手段としての報知ランプＬａないしＬｈが設けられており、これら報知ランプＬａないしＬｈは後に詳述するように、制御手段４３によって制御されて現在膨縮している袋体のつぎに膨脹つまりエアーの供給がなされる袋体に対応する報知ランプを点滅させて、使用者につぎに膨脹する袋体が身体のどの部位に配置されている袋体であるかを予知させるものである。例えば、前記図６のＴ２の期間において、袋体１１ｄから順に袋体１１ｅ、袋体１１ｆまで膨縮が終了し、今袋体１１ｇにエアーの供給がされているとすると、制御手段４３はこの袋体１１ｇに対応する報知ランプＬｇは点灯状態とするとともにつぎにエアーが供給される袋体１１ｆに対応する報知ランプＬｆを点滅させるように制御する。この報知ランプＬｆの点滅表示により使用者は、今膨脹している袋体１１ｇが収縮するとつぎに膨脹する袋体は尻部に対応する袋体１１ｆであることを知ることができるものである。
【００２２】
また、表示パネル２２にはマッサージがなされている状態であることを表示する表示ランプ２２ａ、コースＡまたはコースＢのいずれが選択されているかを表示する表示ランプ２２ｂおよび２２ｃ、全身ローリングモード、背中部ローリングモードまたは腰部ローリングモードのいずれが選択されいてるかを表示する表示ランプ２２ｄないし２２ｆ、ポイントモードが選択されたことを表示する表示ランプ２２ｇ、マッサージの速さつまり袋体の膨縮する速さが速い方に選択されたか遅い方に選択されたかを表示する表示ランプ２２ｈおよび２２ｉ、マッサージ時間が１５分に選択されたか３０分に選択されたかを表示する表示ランプ２２ｊおよび２２ｋ、電床帯１７を動作させるように選択されたか否かを表示する表示ランプ２２ｍがそれぞれ設けられている。
【００２３】
そして、前記各表示ランプ２２ａないし２２ｍは前記操作パネル２１に設けられた各設定釦２３ａないし２３ｉまたはリモートコントロール装置２４に設けられた各設定釦２４ａないし２４ｉの操作に応じて点灯するよになっている。
【００２４】
なお、前記ローリング釦２３ｂは制御手段４３により１回押すと全身ローリングモードが、２回押すと背中部ローリングモードが、そして３回押すと腰部ローリングモードが選択され、４回押すと再び最初の全身ローリングモードに戻るようになっている。また、ポイント釦２３ａは同様に制御手段４３により１回押すと首部が、２回押すと背中部が、３回押すと腰部が、そして４回押すと脚部が選択され、５回押すと再び最初の首部に戻るようになっている。また、タイマー釦２３ｆは１回押すと１５分が選択され２回押すと３０分が選択されるようになっている。
【００２５】
また、前記電源スイッチＳが設けられた上部には、前記袋体１１ａないし１１ｈにそれぞれ対応して、指定した袋体へのエアーの給排気を取り消す取消信号を入力する入力手段としての指定取消釦３０ａないし３０ｈが設けられている。この指定取消釦３０ａないし３０ｈは、使用者が身体のある部位に疾患を有する場合において、この部位つまり被施療部に対応する袋体を膨脹させたくないと望む場合に、この膨脹させたくない袋体に対応する指定取消釦を操作するものである。この指定取消釦が操作されると、制御手段４３は指定された袋体へのエアーの給気を停止するようにエアー生成手段４１および分配器４２を制御するようになっている。
【００２６】
また、前記筐体２０の一方側の側壁にはジョイント部２５およびコネクター２６がそれぞれ設けられており、そして、前記ジョイント部２５には分配器４２に設けられた図示しない複数つまり８個の供給口と対応する接続口２５ａ（図１では６個のみ図示）が設けられており、このジョイント部２５には８本（図１では５本を図示）のエアーホース３ａからなる接続ホース群３の一端側に設けた８個の接続口４ａ（図１では２個を図示）を有する接続部４が接続され、この接続ホース群３の他端側には同様に８個の接続口５ａを有する接続部５が設けられ、この接続部５は前記マット部１に設けた接続部１４に接続されるようになっている。そして、これら接続部５および接続部１４を介して前記接続ホース群３のそれぞれのエアーホース３ａと前記袋体１１ａないし１１ｈに接続されたエアーホース１２ａないし１２ｈとは連通接続されるようになっている。
【００２７】
また、前記コネクター２６には図示しない電位供給手段に接続されており、このコネクター２６とマット部１に設けたコネクター１７ｂとは給電線７によって接続され、このコネクター１７ｂを介して前記電床帯１７には所定の電位が印加されるようになっている。
【００２８】
また、筐体２０の他方の側壁には電源コード２８が設けられている。
【００２９】
つぎに、上記のように構成されたマット式エアーマッサージ機の制御を、図４に示す制御ブロック図に基づいて説明する。
【００３０】
図４に示すようにエアー生成装置４１にはエアーホース４１ａを介して分配器４２が接続され、この分配器４２と前記袋体１１ａないし１１ｈはこの袋体１１ａないし１１ｈに接続されたエアーホース１２ａないし１２ｈおよび接続ホース群３を介して接続されている。
【００３１】
そして、前記エアー生成装置４１および分配器４２は制御手段４３によって制御されるようになっており、この制御手段４３には操作パネル２１に設けた前記設定釦２３ａないし２３ｉ（図４では取消釦２３ｇのみ図示）、リモートコントロール装置２４に設けた前記設定釦２４ａないし２４ｉ（図４では取消釦２４ｇのみ図示）および指定取消釦３０ａないし３０ｈが接続されている。そして、制御手段４３は、前記操作パネル２１に設けた各マッサージモード釦２３ａないし２３ｃ、速さ釦２３ｅおよびタイマー釦２３ｆ、またはリモートコントロール装置２４のマッサージモード釦２４ａないし２４ｃ、速さ釦２４ｅおよびタイマー釦２４ｆの操作によって各種マッサージモードの中から所望のマッサージモードを選択して設定されるとともにマッサージ速さおよびマッサージ時間を選択して設定されると、前記マッサージモード記憶手段４４から前記設定されたマッサージモードを読み出して、このマッサージモードを選択された速さで選択された時間を実行する。つまりこの設定されたマッサージモードによって定められた順序に従って前記袋体１１ａないし１１ｈにエアーを給排気するように前記エアー生成装置４１および分配器４２を制御し、前記袋体１１ａないし１１ｈを膨縮させて被施療部をマッサージするものである。
【００３２】
そして、各マッサージモードにおいては、制御手段４３は各マッサージモードによって定められた順序にしたがって、各袋体１１ａないし１１ｈにエアーの給排気を行うように前記エア生成手段４１と分配器４２を制御するものであるが、制御手段４３はこのエアーの給排気時に、前述したように現在エアーの給排気をしている袋体に対応する報知ランプを点灯状態とするとともに、つぎにエアーの供給がされる袋体に対応する報知ランプは点滅状態とするように制御するようになっている。このことによって使用者は現在膨縮状態である袋体のつぎに身体のどの部位に対応する袋体が膨脹するかを予め知ることができるものである。
【００３３】
また、制御手段４３は、マッサージ中に前記操作パネル２１に設けられた取消釦２３ｇまたはリモートコントロール装置２４の取消釦２４ｇが操作されると前記点滅状態にある報知ランプに対応する袋体つまりつぎにエアーが供給される袋体へのエアーの供給を停止すように前記エアー生成手段４１と分配器４２とを制御するようになっており、このことによって使用者はマッサージ中に例えば腰部に腰痛等の疾患を有しており腰部に対応する袋体１１ｅを膨脹させたくない場合は、この袋体１１ｅに対応する報知ランプＬｅの点滅状態中に前記取消釦２３ｇまたはリモートコントロール装置２４の取消釦２４ｇを操作することにより、その後マッサージ中前記袋体１１ｅの膨縮を停止させることができるものである。
【００３４】
また、使用者は身体のある部位に疾患を有しこの疾患を有する部位つまり被施療部に対応する袋体へのエアーの供給を使用に先立って予め停止するようにするためには、前記指定取消釦３０ａないし３０ｈのうち停止を所望する袋体に対応する所望の指定取消釦を操作すると、制御手段４３は前記操作された指定取消釦に対応する袋体へのエアーの供給を停止するようにエアー生成手段４１および分配器４２を制御する。このことによって、使用者は膨脹させたくない袋体の膨縮を使用に先立って予め停止させることができることから、使用中つまりマッサージ中に膨縮を停止させる操作をする必要はないものである。
【００３５】
また、前記リセット釦２１ｉまたはリモートコントロール装置２４の取消釦２４ｉが操作されると制御手段４３の制御により、前記取消釦２３ｇまたは指定取付釦３０ａないし３０ｈの操作により設定された条件はリセットされて初期状態に戻されるものである。
【００３６】
つぎに、上記マット式エアーマッサージ機の動作について説明する。まず、マット部１と機器本体２とを前記接続ホース群３により接続するとともにマット部１のコネクター１７ｂとコネクター２６とに給電線７を接続する。
【００３７】
そして、電源スイッチＳを閉成し、ついで前記操作パネル２１に設けた各マッサージモード釦２３ａないし２３ｃ、速さ釦２３ｅおよびタイマー釦２３ｆ、またはリモートコントロール装置２４のマッサージモード釦２４ａないし２４ｃ、速さ釦２４ｅおよびタイマー釦２４ｆの操作によって各種マッサージモードの中から所望のマッサージモードを選択して設定するとともにマッサージの速さおよびマッサージ時間を選択して設定する。また、前記電源スイッチＳが閉成されることに応じて前記図示しない電位供給手段によって前記電床帯１７には所定の電位が印加される。
【００３８】
そして、マット部１の上面１ａに身体を横たえた後、前記操作パネル２１のマッサージ釦２３ｄまたはリモートコントロール装置２４のマッサージ釦２４ｄを操作すると、前記制御手段４３はエアー生成装置４１を駆動させるとともに、前記設定された所望のマッサージモードをマッサージモード記憶手段４４から読み出して実行し、このマッサージモードによって定められた順序に従って前記袋体１１ａないし１１ｈを膨縮させるように前記エアー生成手段４１および分配器４２を制御する。そして、この所定の順序で膨縮する袋体１１ａないし１１ｈによって被施療部の押圧弛緩が繰り返されてマッサージがなされる。また、このマッサージ中に前記電床帯１７には所定の電位が印加されており、この印加された電位によって血行の促進等がされ、マッサージ効果が高められるものである。
【００３９】
そして、前記袋体１１ａないし１１ｈに所定の順序でエアーが供給される際には、現在膨縮状態にある袋体に対応する報知ランプは点灯状態となっており、また、つぎにエアーが供給される袋体に対応する報知ランプは点滅状態となっていることから、使用者はつぎに膨脹する袋体は身体のどの部位に対応している袋体であるかを予め知ることができる。したがって、使用者はつぎに膨脹する袋体が疾患を有する被施療部に対応する袋体である場合は、この袋体を予め知ることができるため、この患部を有する被施療部が押圧されることを予知し心身ともにその膨脹に対応する準備がてきることから良好なマッサージ効果が得られるものである。このことは上記コースモードの場合のように、袋体１ａないし１１ｈが不規則的な順序で膨縮する場合にはとくに有効なものである。
【００４０】
また、マッサージ中に上記のようにつぎに膨脹する袋体を予めしることができることから、前記疾患有する身体の部位この場合腰痛を有する腰部であるとして、この腰部に対応する袋体１１ｅを膨脹させたくないと望む場合は、この袋体１１ｅに対応する報知ランプＬｆが点滅している際に前記操作パネル２１の取消釦２３ｇまたはリモートコントロール装置２４の取消釦２４ｇを操作する。この取消釦２３ｇまたは取消釦２４ｇが操作されると、制御手段４３はエアー生成手段４１および分配器４２を制御して、その後マッサージ中は袋体１１ｆｅへのエアーの給気を停止する。このことによって、腰部を除く身体の他の部位をマッサージできることから、被施療部に疾患を有していたとしても良好なマッサージができるものである。
【００４１】
また、使用者は身体のある部位に疾患を有する場合、つまり上記と同様に腰部に腰痛の疾患を有するとして、予め腰部に対応する袋体１１ｅを膨縮させたくないと望む場合は、使用に先立って袋体１１ｅに対応する指定取消釦３０ｅを操作する。すると、制御手段４３は前記袋体１１ｅへのエアーの供給を停止するようにエアー生成手段４１と分配器４２とを制御する。したがって、マッサージ中は腰部に対応する袋体１１ｅが膨縮することはないので、腰部は膨脹する袋体１１ｅにより押圧されることがない。このように腰部を除く身体の他の部位をマッサージできることから疾患を有していたとしても、良好なマッサージができるものである。
【００４２】
そして、マッサージ終了後に前記リセット釦２３ｉまたはリモートコントロール装置２４のリセット釦２４ｉを操作することによって、前記袋体１１ｅにエアーの供給をしないという条件はリセットされ初期状態に復帰するものである。
【００４３】
このように上記マット式エアーマッサージ機は、制御手段４３によって袋体１１ａないし１１ｈにマッサージモードによって定められた順序でエアーを給排気して膨縮させるとともに、つぎにエアーが供給される袋体を報知ランプＬａないしＬｈによって報知するようにしたことから、使用者はつぎに膨脹する袋体が身体のどの部位に対応するかを予知できる。このことから、つぎに膨脹する袋体が疾患を有する被施療部に対応する場合においても、心身の準備ができるため効果的なマッサージができるものである。
【００４４】
また、報知ランプが点滅状態にある時、取消釦２３ｇまたはリモートコントロール装置２４の取消釦２４ｉを操作することによりつぎにエアーが供給されるつまり膨脹する袋体の膨脹を取り消すつまり停止するようにしたことから、疾患を有する被施療部を除く他の被施療部をマッサージできることから効果的なマッサージができるものである。
【００４５】
また、指定取消釦３０ａないし３０ｈを設け、袋体１１ａないし１１ｈのうち所望の袋体を指定してエアーの供給を停止するようにしたことから、使用者は使用に先立って予め膨脹させたくない袋体を膨脹させないようにできるため、上記取消釦２３ｇまたは取消釦２４ｉによってエアー給気を停止させる場合と同様に疾患を有する被施療部を除く他の被施療部をマッサージできるため効果的なマッサージができるものである。
【００４６】
なお、上記実施の形態においては、つぎにエアーを供給する袋体を報知する報知手段を機器本体２の表示パネル２２に描いた身体の各部位に対応させて配置した報知ランプＬａないしＬｈによって構成したが、これはリモートコントロール装置２４に同様の表示パネルを設け、この表示パネルに描いた身体の各部位に対応させた報知ランプＬａないしＬｈによって構成してもよいものである。
【００４７】
このように構成した場合は、使用者は機器本体２の表示パネル２２を見るという姿勢から解放されるという利点がある。
【００４８】
また、上記実施の形態のように、つぎにエアーを供給する袋体を報知する報知手段を機器本体２の表示パネル２２に描いた身体の各部位に対応させて配置した報知ランプＬａないしＬｈによって構成するのではなく、つぎにエアーを供給する袋体の対応する身体の部位を音声によって（例えば、つぎは腰の袋体か膨らみます等）報知する構成としてもよいものである。このように構成した場合はさらに表示パネルを見るということから解放されるとう利点がある。
【００４９】
また、上記実施の形態においては、膨縮中の袋体に対応する報知ランプを点灯状態とし、つぎに膨脹する袋体に対応する報知ランプを点滅状態としたが、これは逆に膨縮中の袋体に対応する報知ランプを点滅状態とし、つぎに膨脹する袋体に対応する報知ランプを点灯状態とするようにしてもよく、また、膨縮中の袋体は使用者は押圧動作によって認識しているものであることから報知ランプで報知させないようにしてもよいものである。
【００５０】
【発明の効果】
上記のように構成した請求項１記載の発明は、制御手段によりマット部に配設された複数の袋体に所定の順序でエアーを給排気して膨縮させるとともに、つぎにエアーが供給される袋体を報知手段によって報知するようにしたことから、使用者につぎに膨脹する袋体が身体のどの部位に対応するかを予知させることができるため、つぎに膨脹する袋体が疾患を有する被施療部に対応する場合においても心身の準備ができるため効果的なマッサージができるものである。
【００５１】
更に、請求項１記載の発明は、報知された袋体へのエアーの供給を取り消す取消信号を入力する入力手段を設け、この入力手段から取消信号が入力されたとき、制御手段によって前記報知された袋体へのエアーの供給を停止するようにエアー供給手段を制御するようにしたから、疾患を有する被施療部に対応する袋体等所望しない袋体へのエアーの給気を停止させ、疾患を有する被施療部を除いて他の被施療部をマッサージできることから効果的なマッサージができるという効果を有するものである。
【００５２】
また、請求項２記載の発明は、複数の袋体のうち所望の袋体を指定してエアーの供給を取り消す取消信号を入力する入力手段を設けるとともに、この取消信号に基づいて、制御手段によって前記指定された袋体へのエアーの供給を停止するよう前記エアー供給装置を制御するようにしたことから、使用者は疾患を有する被施療部に対応する袋体等所望しない袋体へのエアーの供給を使用に先立って予め停止させることができ、したがって、疾患を有する被施療部を除いて他の被施療部をマッサージできることから効果的なマッサージができるという効果を有するものである。
【図面の簡単な説明】
【図１】本発明の実施の形態のマット式エアーマッサージ機の全体を示す斜視図。
【図２】上記実施の形態のマット部の一部を断面して示した図。
【図３】上記実施の形態の機器本体の正面図。
【図４】上記実施の形態の動作を示す制御ブロック図。
【図５】上記実施の形態の全身ローリングモードにおける袋体へのエアーの給排気の順序の例を示す図。
【図６】上記実施の形態のコースモードにおける袋体へのエアーの給排気の順序の例を示す示す図。
【符号の説明】
１                マット部
２                機器本体
１１ａ〜１１ｈ    袋体
１２ａ〜１２ｈ    エアーホース
２３ｉ、２４ｉ    取消釦（袋体へのエアーの供給を取り消す取消信号入力手段）
３０ａ〜３０ｈ    指定取消釦（袋体へのエアーの供給を取り消す取消信号入力手段）
４０              エアー供給装置
４１              エアー生成手段（エアー供給装置の一部）
４２              分配器（分配手段（エアー供給装置の一部））
４３              制御手段
Ｌａ〜Ｌｈ        報知ランプ（報知手段）
【図１】
0003614615.tif 000002
【図２】
0003614615.tif 000003
【図３】
0003614615.tif 000004
【図４】
0003614615.tif 000005
【図５】
0003614615.tif 000006
【図６】
0003614615.tif 000007